(57)【要約】【課題】装置のコストアップや大型化を抑制しつつ、音圧を向上させる。【解決手段】ハウジング１１と、ハウジング１１に移動可能に設けられた可動式のレンズ１２（２８）と、レンズ２８とハウジング１１とにより画成される密封された空間であって、レンズ２８の移動に伴い容積が変化（拡大）する空間が後気室３３となるように、ハウジング１１に取り付けられたスピーカー３０とを備える。【選択図】図４
2013118542.tif 000002
【特許請求の範囲】
【請求項１】
ハウジングと、
前記ハウジングに移動可能に設けられた可動式のレンズと、
前記レンズと前記ハウジングとにより画成される密封された空間であって、前記レンズの移動に伴い容積が変化する空間が後気室となるように、前記ハウジングに取り付けられたスピーカーとを備えることを特徴とする撮像装置。
【請求項２】
前記スピーカーを作動させる際に、前記後気室が広くなるように前記レンズを移動させる駆動手段をさらに備えることを特徴とする請求項１に記載の撮像装置。
【請求項３】
ハウジングと、
前記ハウジングに移動可能に設けられたポップアップ式の発光部と、
前記発光部と前記ハウジングとにより画成される密封された空間であって、前記発光部の移動に伴い容積が変化する空間が後気室となるように、前記ハウジングに取り付けられたスピーカーとを備えることを特徴とする撮像装置。
【請求項４】
前記スピーカーを作動させる際に、前記後気室が広くなるように前記発光部を移動させる駆動手段をさらに備えることを特徴とする請求項３に記載の撮像装置。
【発明の詳細な説明】
【技術分野】
【０００１】
本発明は、デジタルカメラ等の撮像装置に関する。
【背景技術】
【０００２】
スピーカーを備えるデジタルカメラ等の撮像装置において、スピーカーの後気室（スピーカーの裏面側の空間）は、密閉であり前気室と音が混じらない構造であること、及び広い容積を有していることが音圧向上のために望ましい。しかしながら、広い空間を後気室として設けることはデッドスペースが増えることになり、装置の大型化を招く。これに対策する技術としては、携帯電話機に関する技術であるが、下記特許文献１に記載のように、スピーカーを保持する筐体を可動として、使用状態ではスピーカーを前方に繰り出して後気室の容積を拡張させるものが知られている。
【先行技術文献】
【特許文献】
【０００３】
【特許文献１】特開２００８−２８５９５号公報
【発明の概要】
【発明が解決しようとする課題】
【０００４】
しかしながら、特許文献１に記載された従来技術では、スピーカーを保持した筐体を可動させるバネ構造を含む機構部等がそのためだけに必要となり、部品点数の増加や機構部配置の専用の空間を要するため、コストアップや製品の大型化を招くという問題がある。
【０００５】
本発明はこのような点に鑑みてなされたものであり、装置のコストアップや大型化を抑制しつつ、音圧を向上させることを目的とする。
【課題を解決するための手段】
【０００６】
本発明の第１の観点に係る撮像装置は、ハウジングと、前記ハウジングに移動可能に設けられた可動式のレンズと、前記レンズと前記ハウジングとにより画成される密封された空間であって、前記レンズの移動に伴い容積が変化する空間が後気室となるように、前記ハウジングに取り付けられたスピーカーとを備えることを特徴とする。
【０００７】
本発明の第２の観点に係る撮像装置は、ハウジングと、前記ハウジングに移動可能に設けられたポップアップ式の発光部と、前記発光部と前記ハウジングとにより画成される密封された空間であって、前記発光部の移動に伴い容積が変化する空間が後気室となるように、前記ハウジングに取り付けられたスピーカーとを備えることを特徴とする。
【発明の効果】
【０００８】
本発明によれば、装置のコストアップや大型化を抑制しつつ、音圧を向上させることができるという効果がある。
【図面の簡単な説明】
【０００９】
【図１】本発明の第１実施形態のデジタルカメラの外観構成の概略を示す正面図である。
【図２】本発明の第１実施形態のデジタルカメラの外観構成の概略を示す背面図ある。
【図３】本発明の第１実施形態のデジタルカメラの撮影レンズを沈胴させた状態における要部を破断した平面図である。
【図４】本発明の第１実施形態のデジタルカメラの撮影レンズを繰り出した状態における要部を破断した平面図である。
【図５】本発明の第２実施形態のデジタルカメラのフラッシュ発光部を埋没させた状態における要部を破断した正面図である。
【図６】本発明の第２実施形態のデジタルカメラのフラッシュ発光部を突出（ポップアップ）させた状態における要部を破断した平面図である。
【発明を実施するための形態】
【００１０】
〔第１実施形態〕
図１は本発明の第１実施形態に係る撮像装置としてのデジタルカメラの外観構成の概略を示す正面図、図２は同じく背面図である。この第１実施形態のカメラ１０は、沈胴式の撮影レンズ１２を備えるコンパクトタイプのデジタルカメラである。但し、これに限定されず、一眼レフ方式のデジタルカメラ、その他の方式のデジタルカメラであってもよい。また、動画を撮影可能なデジタルビデオカメラであってもよい。撮像装置は、カメラという名称に限定されることもなく、静止画及び／又は動画の撮影が可能なカメラ付き携帯電話機、カメラ付きＰＤＡ、カメラ付きゲーム機等の撮像機能を有するあらゆる電子装置が含まれる。
【００１１】
図１に示されているように、カメラ１０は不図示のカメラフレームにカバーを取り付けてなるカメラ筐体（ハウジング）１１の正面に撮影レンズ１２を備えている。撮影レンズ１２は、二段の沈胴式のズームレンズ鏡筒を備えて構成されている。この撮影レンズ１２は、電源オフ時又は非撮影時には、カメラ筐体１１の内部に沈胴（埋没）して収容され、電源オン時又は撮影時には、カメラ筐体１１から繰り出す（突出する）ようになっている。カメラ筐体１１の上面には、レリーズボタン１３等が設けられている。カメラ筐体１１の正面の撮影レンズ１２の近傍には、照明用のフラッシュ発光部１４及び補助光発光部１５等が設けられている。
【００１２】
また、図２に示されているように、カメラ筐体１１の背面には、撮影画像や各種の情報を表示するための液晶パネルからなる液晶モニタ１６が設けられている。また、カメラ筐体１１の背面には、電源スイッチ、ズームボタン、再生ボタン、モード切換スイッチ等の各種の操作ボタン１７等も設けられている。
【００１３】
図３及び図４は、本第１実施形態のデジタルカメラの要部を破断して示す平面図であり、図３は沈胴式の撮影レンズを埋没させた沈胴状態を、図４は撮影レンズを突出させた繰り出し状態を示している。
【００１４】
カメラ１０は、カメラ筐体１１内に、沈胴式の撮影レンズ１２、撮像素子１８、フラッシュ照明装置（不図示）等を収容して構成されている。撮像素子１８は、ＣＣＤやＣＭＯＳ等を素子基板１９に実装して構成されており、素子基板１９はカメラ筐体１１に保持されている。撮像素子１８は、その撮像面に結像した像を電気信号に変換し、不図示の制御部に撮像信号を出力する。
【００１５】
撮影レンズ１２は、固定筒２１、複数の可動筒２２，２３，２４、可動部材２５、１群レンズ２６、２群レンズ２７、及び３群レンズ（フォーカスレンズ）２８等を備えている。可動筒２２，２３，２４及び可動部材２５は、不図示の駆動機構によって、それぞれ光軸ＡＸに沿って可動に構成されている。１群レンズ２６は可動筒２３に、２群レンズ２７は可動筒２４に、３群レンズ２８は可動部材２５にそれぞれ取り付けられている。各可動筒２２，２３，２４及び可動部材２５を駆動する駆動機構は、何れも図示は省略するが、ＤＣモータ、カム及びギア等を備えて構成されている。なお、図示は省略しているが、固定筒２１と可動筒２２との間の一部、及び可動筒２２と可動筒２３との間の一部には、気密性を確保するため、カーテン（パッキン）部材が介装されている。
【００１６】
カメラ１０には、音楽再生、録音した音声の再生、音声による操作ナビ、シャッタ音や警告音、その他の音を出力するために用いられるスピーカー３０が内蔵されている。この第１実施形態におけるスピーカー３０は、その裏面を撮影レンズ１２の固定筒２１側に向けて、カメラ筐体１１の側面に取り付けられている。スピーカー３０の前面とカメラ筐体１１との間にはクッション材３１が圧縮して介装・設置されている。カメラ筐体１１のスピーカー３０が設置される部分には、スピーカー３０で発生した音を外部に放出するため、内外に貫通する複数の貫通孔３２が形成されている。
【００１７】
図３に示されているように、電源オフ時等において撮影レンズ１２が沈胴状態では、スピーカー３０の裏面側には、撮影レンズ１２の可動筒２２，２３，２４等が位置しており、スピーカー３０の後気室は僅かに存在するのみである。電源オフ時には、スピーカー３０から音を出力することは通常はないので、後気室がなくても特に問題は生じない。図４に示されているように、電源オン時等において撮影レンズ１２が繰り出した状態では、スピーカー３０の裏面側には、撮像素子１８と３群レンズ２８等により画成された広い空間が形成され、且つこの空間は鏡筒（固定筒２１，可動筒２２，２３，２４）によって密閉されている。音声等の再生は、電源オン時に行われるので、その時には密閉された十分な後気室３３が確保され、所望の音圧を得ることができる。
【００１８】
このように、第１実施形態では、沈胴式の撮影レンズ１２を備えたカメラ１０において、撮影レンズ１２の繰り出しによって画成される密閉空間をスピーカー３０の後気室３３として利用するようにしたので、十分な音圧を得るためにスピーカー３０の後気室を専用的に設ける必要がなく、装置（カメラ）の小型化を阻害することなく、スピーカー３０から音を出力する際には、十分な後気室を確保することができ、音圧を向上することができる。
【００１９】
なお、電源オン時であっても、画像再生を行う場合等の撮影を伴わない場合には、撮影レンズ１２を沈胴状態としておくように制御する場合があるが、音声や音楽の再生を伴う場合には、撮影とは無関係に撮影レンズ１２を繰り出し状態として、スピーカー３０の後気室３３を確保するように制御するとよい。
【００２０】
なお、上述した第１実施形態では、沈胴式の撮影レンズ１２の移動に伴い画成される密封空間をスピーカー３０の後気室３３として利用するようにしたが、撮影レンズ１２以外のレンズを移動させる構成を備えるカメラ、例えば、光学ファインダを備える一眼レフカメラにおいて、光学ファインダ内の可動レンズの移動に伴い画成される密封空間をスピーカーの後気室として利用するように、該スピーカーを設けるようにしてもよい。
【００２１】
〔第２実施形態〕
図５及び図６は、本発明の第２実施形態のデジタルカメラの要部を破断して示す正面図であり、図５はポップアップ式のフラッシュ発光部を埋没させた状態を、図６はフラッシュ発光部をポップアップ（突出）させた状態を示している。なお、上述した第１実施形態と実質的に同一の構成部分については、同一の番号を付して、その説明は省略する。
【００２２】
カメラ筐体１１内の撮影レンズ１２の側方には、フラッシュ照明装置４１が設けられている。フラッシュ照明装置４１は、照明筐体４２内に、図示は省略するが、閃光を発生するキセノン（Ｘｅ）管、及びリフレクタ（光反射板）等を備えてり、フラッシュ発光部（フラッシュ窓）４３から照明用の閃光を発生する装置である。なお、ここでは、閃光を発生する手段としてキセノン管を用いるものとしたが、ＬＥＤランプ等を用いるものであってもよい。
【００２３】
照明筐体４２は、段差部４４を有するとともに、上下にスライドするように、不図示のポップアップ機構を介してカメラ筐体１１に支持されている。照明筐体４２は、カメラ筐体１１の上面からフラッシュ発光部４３が突出するポップアップ状態（図６参照）及び完全に埋没される収納状態（図５参照）に切替できるようになっている。ポップアップ機構は、図示は省略するが、ソレノイド（電磁石）、ロック部材、照明筐体４２を上方に付勢するバネ等を備えて構成されている。使用者は、ロック部材を操作（例えば、押下）してロックを解除することにより、フラッシュ発光部４３をポップアップさせることができる。なお、収納状態へは使用者がポップアップ状態にあるフラッシュ発光部４３を押し込み操作することにより、ロック部材を作動させることにより戻すことができる。なお、照明筐体４２とカメラ筐体１１との間の一部には、気密性を確保するため、カーテン（パッキン）部材４６が介装されている。
【００２４】
この第２実施形態では、スピーカー３０は、その裏面を照明筐体４２側に向けて、カメラ筐体１１の側面に取り付けられている。スピーカー３０の前面とカメラ筐体１１との間にはクッション材３１が圧縮して介装・設置されている。カメラ筐体１１のスピーカー３０が設置される部分には、スピーカー３０で発生した音を外部に放出するため、内外に貫通する複数の貫通孔３２が形成されている。
【００２５】
図５に示されているように、フラッシュ発光部４３を埋没させた状態では、スピーカー３０の裏面側には、照明筐体４２が位置しており、スピーカー３０の後気室は僅かに存在するのみである。フラッシュ発光部４３を突出させた状態では、スピーカー３０の裏面側には、照明筐体４２の段差部４４が位置し、該段差部４４等により空間が形成され、且つこの空間は密閉されている。この状態で、音声や音楽等を出力すれば、密閉された十分な後気室４５が確保され、所望の音圧を得ることができる。
【００２６】
このように、第２実施形態では、ポップアップ方式のフラッシュ発光部４３を備えたカメラ１０において、フラッシュ発光部４３をポップアップした際に画成される密閉空間をスピーカー３０の後気室４５として利用するようにしたので、カメラ筐体１１内の空間を有効的に用いることができ、装置（カメラ）の小型化を阻害することなく、スピーカー３０から音を出力する際には、十分な後気室４５を確保することができ、音圧を向上することができる。
【００２７】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００２８】
１０…カメラ、１１…カメラ筐体、１２…撮影レンズ、１３…レリーズボタン、１４…フラッシュ発光部、１５…補助光発光部、１６…液晶モニタ、１７…操作部材、１８…撮像素子、１９…素子基板、２１…固定筒、２２，２３，２４…可動筒、２５…可動部材、２６…１群レンズ、２７…２群レンズ、２８…３群レンズ、３０…スピーカー、３１…クッション材、３２…貫通孔、３３…後気室、４１…照明装置、４２…照明筐体、４３…フラッシュ発光部、４４…段差部、４５…後気室、４６…カーテン、ＡＸ…光軸。
【図１】
2013118542.tif 000003
【図２】
2013118542.tif 000004
【図３】
2013118542.tif 000005
【図４】
2013118542.tif 000006
【図５】
2013118542.tif 000007
【図６】
2013118542.tif 000008